(57)【特許請求の範囲】
【請求項１】
本発明は硬めの生地と柔めの生地の対をなす形状の生地を縫い合わせた帯状体の長手方向中心部側部の付近に大き目輪状止紐と小さ目輪状止紐を設け、その帯状体長手方向中心部付近の硬めの生地側にたわし部を設けた身体洗浄具。
【請求項２】
本発明は請求項１に記載の身体洗浄具のたわし部を複数のひだを設けたひだ状生地部とした身体洗浄具。
【発明の詳細な説明】
【０００１】
【発明の属する技術分野】
本発明は身体のうち特に背中をこする場合、一人でも背中の大小の窪みの垢をこすり落とすことを可能とした身体洗浄具に関するものである。
【０００２】
【従来の技術】
従来より、入浴時に一人で体を洗う際に背中の背骨近辺など背中の窪んでいる所があるので、その窪んだ部分をきちんとこするのは困難であった。
【０００３】
また、背中の窪んだ所の垢をこすり落とすことのできる公知の技術としては特開平７−２３６５９１や昭６２−１２３１９４のようなあかすりが存在するが、これらのあかすりは帯状体およびタオルの長手方向中心部付近にこぶ状体などといった隆起を設けたに過ぎないものであり細やかな背中の窪みの汚れまでをこすり落とすには不満を残すものとなっていた。
【０００４】
【発明が解決しようとする課題】
本発明は上記のような背景に着目して為されたものであり、以下、本発明が解決しようとする課題とする。
身体のうち特に背中をこする場合、一人でも背中の大小の窪みの垢をこすり落とすことを可能とし、さらに肌の弱い人に対しても本発明の使用方法を変えることにより刺激を押さえてこすることのできる身体洗浄具を提供することを課題とする。
【０００５】
【課題を解決するための手段】
請求項１に記載の身体洗浄具は、硬めの生地と柔めの生地の対をなす形状の生地を縫い合わせた帯状体の長手方向中心部の側部付近に大き目輪状止紐と小さ目輪状止紐を設け、その帯状体長手方向中心部付近の硬めの生地側にたわし部を設けたことを特徴とするものである。
【０００６】
請求項２に記載の身体洗浄具は、請求項１に記載の身体洗浄具のたわし部を複数のひだを設けたひだ状生地部としたことを特徴とするものである。
【０００７】
【発明の実施の形態】
本発明の一実施の形態を以下、図面を参照して説明する。
図面１は、本発明第一の実施の形態を示す斜視図であり、硬めの生地９と柔めの生地１１の対をなす形状の生地を縫い合わせた帯状体の長手方向中心部の側部付近に大き目輪状止紐３と小さ目輪状止紐５を設け、その帯状体長手方向中心部付近の硬めの生地９側にたわし部７を設けてなる。
【０００８】
この発明を使用するときには、図２のように一点鎖線Ａ−Ａを硬めの生地９とたわし部７が表向きとなるように折り曲げ、大き目輪状止紐３を小さ目輪状止紐５にくぐして身体洗浄具１が図２の状態から開いて図１の状態に戻ることを防ぎ身体洗浄時常に硬めの生地９とたわし部７が身体を摩擦するようにするか、図３のように一点鎖線Ａ−Ａを柔めの生地１１が表向きとなるように折り曲げ大き目輪状止紐３を小さ目輪状止紐５にくぐして身体洗浄具１が図３の状態から開いて図１の状態に戻ることを防ぎ、身体洗浄時常に柔めの生地１１が身体を摩擦するようにする。
【０００９】
図面４は、本発明第二の実施の形態を示す斜視図であり、硬めの生地１０と柔めの生地１２の対をなす形状の生地を縫い合わせた帯状体の長手方向中心部の側部付近に大き目輪状止紐４と小さ目輪状止紐６を設け、その帯状体長手方向中心部付近の硬めの生地１０側に複数のひだを設けた生地を特に限定するわけではないが円形となるように取付けたひだ状生地部８を設けてなる。
【００１０】
この発明を使用するときには、図５のように一点鎖線Ｂ−Ｂを硬めの生地１０とひだ状生地部８が表向きとなるように折り曲げ、大き目輪状止紐４を小さ目輪状止紐６にくぐして身体洗浄具２が図５の状態から図４の状態に戻ることを防ぎ身体洗浄時常に硬め生地１０とひだ状生地部８が身体を摩擦するようにするか、図６のように一点鎖線Ｂ−Ｂを柔めの生地１２が表向きとなるように折り曲げ大き目輪状止紐４を小さ目輪状止紐６にくぐして身体洗浄具２が図６の状態から図４の状態に戻ることを防ぎ、身体洗浄時常に柔めの生地１２が身体を摩擦するようにする。
【００１１】
尚、柔めの生地１１、１２および硬めの生地９、１０に使用する素材は特に限定するわけではないがナイロン生地など化学繊維や麻や糸瓜などを使用してもかまわない。
【００１２】
尚、たわし部７の形状は楕円状でも円状でも角型でも特に限定するものではない。
【００１３】
また、たわし部７に使用する素材は特に限定するわけではないがナイロン生地など化学繊維や麻や糸瓜などを使用してもかまわない。
【００１４】
尚、ひだ状生地部８は複数のひだを設けた生地をどのような形状となるようにでも硬めの生地１０上に配置してもかまわないし、ひだ状の生地を幾重に重ねて取付けても良い。
【００１５】
尚、ひだ状生地部を幾重にも重ねる場合は特に限定するものではないが、図７に示すように大き目ひだ状生地１５の上に小さ目ひだ状生地１４を重ねて取付けることを理想とする。
【００１６】
尚、ひだ状生地部８は特に限定する形状とせずに複数のひだをもつものであれば図８のような構成のものでもギャザーやフリルといったものでも、複数の細かい生地を重ね合わせて形成されたものでもかまわない。
【００１７】
尚、ひだ状生地部８に使用する素材は特に限定するわけではないがナイロン生地や麻や糸瓜などを使用してもかまわない。
【００１８】
【発明の効果】
本発明は上記のような背景から身体のうち特に背中をこする場合、一人でも背中の大小の窪みの垢をこすり落とすことを可能とする。
また、特にひだ状生地部８を有する身体洗浄具２に関してはひだでも特に複数のひだ端部が背中の大小の窪みの垢をこすり落とすので汚れを落とす効果が高い。
また、肌の弱い人に対しても請求項１及び請求項２の発明を硬めの生地９、１０側をおもてにしたり、反対に柔めの生地１１、１２側をおもてにするといった形態で使い分けることにより刺激を強めたり、刺激を押さえてこすることができる。
さらに、上記身体洗浄具を丸め握って使用する場合にはたわし部７やひだ状生地部８がちょうど良い大きさとなって握り締めるのに力が入りやすい。
【図面の簡単な説明】
【図１】本発明第一の実施の形態を示す斜視図である。
【図２】本発明の一使用形態を示す斜視図である。
【図面３】本発明の一使用形態を示す斜視図である。
【図４】本発明第二の実施の形態を示す斜視図である。
【図５】本発明の一使用形態を示す斜視図である。
【図６】本発明の一使用形態を示す斜視図である。
【図７】本発明のひだ状生地部の一実施の形態を示す分解斜視図である。
【図８】本発明のひだ状生地部を示す概略断面図である。
【符号の説明】
１、２・・・身体洗浄具
３、４・・・大き目輪状止紐
５、６・・・小さ目輪状止紐
７・・・たわし部
８・・・ひだ状生地部
９、１０・・・硬めの生地
１１、１２・・・柔めの生地
１３・・・縫い目
１４・・・小さ目ひだ状生地
１５・・・大き目ひだ状生地
１６・・・生地
【図１】
0004143953.tif 000002
【図２】
0004143953.tif 000003
【図３】
0004143953.tif 000004
【図４】
0004143953.tif 000005
【図５】
0004143953.tif 000006
【図６】
0004143953.tif 000007
【図７】
0004143953.tif 000008
【図８】
0004143953.tif 000009